(57)【特許請求の範囲】
【請求項１】
少なくとも２枚の雨戸が室外側に折り畳まれ、且つ、雨戸の雨戸框に配列された複数のスラットを揺動させる揺動機構を備えた折れ雨戸において、該揺動機構は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、その回転力が伝達される第２の伝達部材とからなり、前記ねじりバーは、薄板状の棒材の一端に対する他端の回転角度を所定のねじり角に形成すると共に、前記ねじりバーの両端をそれぞれ回転軸に固定し、これらの回転軸を軸受けに取付けると共に、前記ねじりバーと前記第１の伝達部材間に一方の回転軸を介在させたことを特徴とする折れ雨戸。
【請求項２】
建物の開口に対応させた前記雨戸のサイズに応じて、少なくとも１組の揺動機構が取付けられていることを特徴とする請求項１に記載の折れ雨戸。
【請求項３】
建物の開口に沿って固定された固定枠に前記雨戸を取付けたことを特徴とする請求項１又は２に記載の折れ雨戸。
【発明の詳細な説明】
【０００１】
【発明の属する技術分野】
この発明は、建物の開口に設けられる建具としての折れ雨戸に関する。
【０００２】
【従来の技術】
建物の窓等の開口には、日除けやプライバシー保護のため、ガラス戸等の室内側にカーテン類、ブラインド類を吊るしている場合が多い。カーテン、ブラインドのみの場合には、防犯上、不安があるため、ガラス戸等の屋外側には外装装置として雨戸、ルーバー、シャッター等が取付けられる場合がある。
【０００３】
【発明が解決しようとする課題】
しかし、雨戸及びシャッターの場合には、就寝時に防犯などの機能を発揮させるもので、その用途は極めて限定されていた。
また、ルーバの場合には、ルーバを開閉させる開閉機構の操作性に難点があるものが多かった。
【０００４】
そこで本願発明は、屋外から覗き見られることなくプライバシー保護を徹底することができ、また、防風、防雨、防音、防犯性に優れ、また、日除け（断熱性）に優れ、さらにスラットの開閉操作の快適性を図ることができる折れ雨戸を提供することを目的とする。
【０００５】
【課題を解決するための手段】
上記目的を達成するため、本願発明は少なくとも２枚の雨戸が室外側に折り畳まれ、且つ、雨戸の雨戸框に配列された複数のスラットを揺動させる揺動機構を備えた折れ雨戸において、該揺動機構は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、その回転力が伝達される第２の伝達部材とからなり、前記ねじりバーは、薄板状の棒材の一端に対する他端の回転角度を所定のねじり角に形成すると共に、前記ねじりバーの両端をそれぞれ回転軸に固定し、これらの回転軸を軸受けに取付けると共に、前記ねじりバーと前記第１の伝達部材間に一方の回転軸を介在させたことを特徴とする折れ雨戸とした（請求項１に記載の発明）。
この発明によれば、建物の開口を遮断することができるので、プライバシー保護を徹底化することができ、且つ、防風、防雨、防音、防犯性に優れている。
また、スラットの揺動角度を調整することにより太陽光線を弾いて断熱を図り、同時に採光及び通風を図ることができる。
さらに、スライド力を付与する装置（例えば後述の操作スライダー）を左右にスライドさせるというスライド運動によって動作するので、スラットの揺動操作の容易性が向上し、スラットの開閉操作の快適性を図ることができる。
【０００６】
上記発明において、建物の開口に対応させた前記雨戸のサイズに応じて、少なくとも１組の揺動機構が取付けられていることを特徴とする（請求項２に記載の発明）。
建物の開口の大きさ、位置に対応させて、操作し易い揺動機構を組込むことができる。
【０００７】
上記発明において、建物の開口に沿わせて固定された固定枠に雨戸を取付けたことを特徴とする折れ雨戸とした（請求項３に記載の雨戸）。
本願発明の折れ雨戸は、新設の建物に設置できるし、既設の建物の開口に取付ける場合には、固定枠を介して取付けることもできる。
【０００８】
【発明の実施の形態】
実施形態に係る折れ雨戸について、図面を参照しつつ詳細に説明する。
図１は各スラットが閉鎖状態の折れ雨戸の室外側正面図、図２は第１雨戸及び第２雨戸を折畳んだ状態の同横断面図、図３は同各雨戸の縦断面である。
なお、上記各図及び後述の各図において、略同一の構成は同一の符号を用い、詳細な説明を省略する。
【０００９】
図１〜図３に示したように、折れ雨戸は、建物の開口Ｋに略沿うように固定された固定枠１とこの固定枠１に配置された第１〜第４雨戸１Ａ〜１Ｄからなっていて、第１及び第２雨戸１Ａ,1Ｂ並びに第３及び第４雨戸1Ｃ,1Ｄがそれぞれ屋外側に折畳まれるようになっている。
【００１０】
前記固定枠１は、各雨戸１Ａ〜１Ｄと開口Ｋ間の間隔を保たせてつつ折れ雨戸を取付けるもので、サッシ枠等と折れ雨戸の位置調整に使用する。特に、既設の開口に折れ雨戸を取付ける場合に有用である。
前記固定枠１には、枠本体１００の室外側横枠１０１にレール部１０２が設けられており、図４に示すように上下レール部１０２の各両端（Ｌ１、Ｌ２、Ｒ１、Ｒ２）には、それぞれターンテーブル１０３が設けられている。
前記レール部１０２及び前記ターンテーブル１０３は、第１及び第２雨戸１Ａ,1Ｂ並びに第３及び第４雨戸1Ｃ,1Ｄが折畳まれたり、折広げられる場合に、第２及び第３雨戸１Ｂ、１Ｃに取付けられたガイド突起兼用ストッパ１３ｂのロッド（後述、図１１参照）が走行する部分である。
前記固定枠１は、上記のように構成され、前記開口Ｋの周囲を沿って止着具を介して躯体側に固定されている。
【００１１】
前記第１雨戸１Ａ及び第４の雨戸１Ｄは略同一であり、また第２雨戸1Ｂ及び第３の雨戸1Ｃは略同一であるので、第４雨戸1Ｄの構成例は、第１雨戸１Ａによって説明し、第３雨戸1Ｃの構成例は、第２雨戸１Ｂによって説明する。
【００１２】
前記第１雨戸１Ａは、上下框１０，１１、竪框１２，１３及び中框１４から雨戸框を形成し、上框１０と中框１４間、下框１１と中框１４間に、それぞれ複数のスラット２Ａ、２Ｂを水平方向に配列している。
【００１３】
図５(イ)に示した前記竪框１２の上下端１２Ｕ、１２Ｄには、それぞれ同図（ロ）、（ハ）に示した回転軸１２ａ（ピボット軸）が取付けられ、前記ターンテーブル１０３に設けられた各軸受部１０３ａ（図４）に軸支され、第１雨戸１Ａが前記固定枠１に回転可能に取付けられている。
他方の竪框１３には、ヒンジ取付枠１３０が形成され、前記第２雨戸1Ｂをヒンジ結合している。なお、図５（イ）に示した前記竪框１３の上下端部１３Ｕ、１３Ｄには、同図（ニ）、（ホ）に示したストッパ１３ａが取付けられ、折れ雨戸を閉じた場合の雨戸の「バタツキ」防止や防犯性を高めている。
【００１４】
前記中框１４は、図３に示したように上下２列に形成され、上下中框１４Ａ、１４Ｂには、それぞれ前記スラット２Ａ、２Ｂを揺動される第１、第２揺動機構を操作する操作スライダー１５を臨ませている。
前記中框１４を上下中框１４Ａ、１４Ｂに２列にすることなく、一体型としてもよい。
【００１５】
前記第１及び第２揺動機構は、略同一構成であるので、第１揺動機構を取上げて図６〜図１０に基づきその構成例を説明する。図６は同揺動機構の要部断面図、図７は同分解斜視図、図８は同要部分解斜視図、図９は同動作説明図、図１０は同要部正面図である。
【００１６】
前記第１揺動機構は、図６及び図７に示したように、前記操作スライダー１５のスライド力を回転力に変換させるねじりバー３と、その回転力をバー部材４に伝達する第１の伝達部材５と、そのバー部材４の回転力を各スラット２に伝達する第２の伝達部材６からなっている。
【００１７】
前記操作スライダー１５は、摘み片１５０とスライダー本体１５１からなり、そのスライダー本体１５１が、前記上中框１４Ａに設けられたスライド枠１４２（図６）に沿って直線的に滑動できるように配置されている。
【００１８】
前記スライダー本体１５１の構成例を、図８に基づいて説明する。
スライダー本体１５１は、本体部１５１ａと、蓋体部１５１ｂと、本体部１５１ａと蓋体部１５１ｂを組立てるカシメ部１５１ｃからなっており、このカシメ部１５１ｃに前記摘み片１５０が固定されている。前記本体部１５１ａには、２列の孔１５１ｄ、１５１ｄが設けられており、各孔１５１ｄにスプリング１５１ｅ、ボール１５１ｆが嵌めこまれている。前記本体部１５１ａと蓋体部１５１ｂには、ねじり状の孔１５２が設けられているが、この孔１５２に形成されているクリアランスが、前記スプリング１５１ｅにより前記蓋体部１５１ｂに向かって付勢されるボール１５１ｆによって調整されることになり、前記スライダー本体１５１に「ガタツキ」が生じることなく、スムーズにスライドさせることができる。
【００１９】
より詳細に「ガタツキ防止手段」を取付けた理由及び作用を図９に基づいて説明する。
前記ねじり状の孔１５２をねじりバー３の「ねじれ」にそって忠実に形成すると、操作スライダー１５を操作する際に、「ガタ」が生じる。また全てのねじりバー３に全く同一の「ねじれ」を形成させることは困難である。
よって、前記ねじり状の孔１５２にはねじりバー３のためにクリアランス（遊び）が必要になる。この場合に、このクリアランスを調整し、快適なスライド操作を実現するものが、「ガタツキ防止手段」である。
【００２０】
図９に示したように、前記スプリング１５１ｅにより前記蓋体部１５１ｂに向かって付勢されるボール１５１ｆがねじりバー３に当接すると共に、操作スライダー１５のスライドにより回転する。
その結果、前記ねじり状の孔１５２に挿入されてねじりバー３に作用するクリアランスＣが、適度に調整されることになり、前記スライダー本体１５１に「ガタ」が生じることなく、スムーズにスライドさせることができる。
【００２１】
なお、前記スライダー本体１５１は、スライド枠１４２に沿って直線的に滑動できるような形状であればどのようなものでもよく、前記スイラダー１５の摘み片１５０の形状も同様に、どのようなものでもよい。
【００２２】
前記ねじりバー３は、薄板状の棒材を所定のねじれ角によって変形させたもので、前記操作スライダー１５の滑動方向に応じて、正転或いは逆転するようになっている。
前記ねじりバー３のねじれ角の大きさ、即ち、そのねじれ角によって形成されるねじりバー３の一端３０に対する他端３１の回転角度は、操作者が前記操作スライダー１５を軽くスライドできて、好みの開閉角度を楽しむことができ、さらに各スラット２の開閉角度の微調整が可能なように成形すればよい。
【００２３】
例えば、図１０に示したように、前記ねじりバー３の一端３０から他端３１までの長さＬに対し、他端の回転角度は約２１０度のように成形してもよい。
同じ寸法Ｌにおいて、回転角度を大きく設定すればするほど、スラット２の開閉角度を大きくすることができるが、大きなスライド力を付与しなければならず操作性は重くなる。一方、回転角度を小さく設定すればするほど、スラット２の開閉角度が小さくなり、操作性が軽くなる。
また、同じ回転角度において、ねじりバー３の取付長さを調整することにより、スライドバー１５のスライド幅に応じてスラット２の開閉角度を調整することができる。
【００２４】
この実施形態では、前記ねじりバー３の取付長さは、各スラット２を約９０度の範囲で開閉できるように設定され、ねじりバー３の両端３０、３１が回転軸３２，３２に固定されると共に、これらの回転軸３２，３２がそれぞれ前記スライド枠１４２に固定された軸受３３、３３に取付けられている。
【００２５】
前記回転軸３２は、図７に図示されているように、前記ねじりバー３の端部を固定する固定円柱部３２０と、この固定円柱部３２０より縮径された回転部３２１とからなる。
この回転部３２１には、前記第１の伝達部材５の一端を固定する４角孔３２２が形成されている。
これら固定円柱部３２０と回転部３２１間に形成された段差３２３が前記軸受３３の側面に当接することにより、前記ねじりバー３が変位することなく空転し、回転力のみが前記第１の伝達部材５に伝達されるようになっている。
【００２６】
なお、前記ねじりバー３と第１の伝達部材５間に前記回転軸３２を介在させることにより、ねじりバー３の円滑な回転を図ると共に、ねじれ角の異なるねじりバー３の交換も容易となる。
前記回転軸３２の回転部３２１は、前記竪框１３に設けられた孔（図示せず）から、その竪框１３の中空部１３１（図２参照）に突出され、前記第１の伝達部材５の一端５０に連結されている。
【００２７】
前記第１の伝達部材５は、竪框１３の中空部１３１に収容され、図７等に示したように、その一端５０がねじりバー３及び回転軸３２と略同一軸上に配置され、前記回転軸３２の四角孔３２２に固定されている。そして前記一端５０を中心にして、他端５１が前記ねじりバー３の回転に応じて回転する。
この第１の伝達部材５は、略小判状に形成されているが、前記一端５０に相当する回転中心部と前記他端５１に相当する回転部を備えていれば、どのような形状でもよい。
【００２８】
前記第１の伝達部材５の他端５１は、前記竪框１３の中空部１３１に沿って配置されているバー部材４の孔４０に空転可能に取付けられている。
【００２９】
前記バー部材４は、前記第１の伝達部材５からの回転に同調させて各スラット２を回転させるもので、各スラット２の配置間隔に応じた孔４１が設けられている（図７参照）。
【００３０】
一方、前記バー部材４の孔４１に対応するように、前記第１の伝達部材５と略同一の形状に成形された第２の伝達部材６の一端６０が、後述のスラットホルダ７を介して前記竪枠１３内に回転可能に配置されている（図７等参照）。
この第２の伝達部材６の他端６１は、前記バー部材４の前記各孔４１に空転可能に配置されており、第２の伝達部材６は、その一端６０を中心にして前記第１の伝達部材５と同調して回転する。
【００３１】
前記スラットホルダ７は、図７等に示したように、前記竪框１３の中空部１３１内に臨む回転軸７０と、この回転軸７０に同軸的に固定され、且つ、竪框１３の外側面に当接する鍔部７１と、前記スラット２の側面に埋込まれる楔部７２からなっている。
【００３２】
なお、前記スラット２の他端を回転可能に保持するスラットホルダ７Ａ（図６参照）は、前記竪框１２に取付けられており、前記スラットホルダ７と同様に構成され、その楔部７２が前記スラット２の側面に埋込まれている。
【００３３】
次に、前記スラット２の構成例を説明する。
スラット２は、図７等に示したように、前記スラットホルダ７の楔部７２を取付ける取付部２０を設けた中空部２１と、この中空部２１の下部から下方に延出された板状部２２からなり、例えばアルミニウム等の金属材料の押出成形によって形成されている。
このスラット２の主な特徴的な点は、スラット２を略水平位置まで回動させた場合、その上部が竪框１２、１３の遮光片１２２、１３２（図２参照）と干渉しないような寸法に形成されていること、前記スラットホルダ７の回転軸７０の位置とスラット２の重心が略一致するように、その形状に工夫を加えたこと、及び前記中空部２１の上部室外側に消音部材２３を取付けたことである。
【００３４】
前記竪框１２、１３に開閉可能なスラット２を取付ける場合、スラット両端に僅かな間隙が形成されてしまい、外部からの光、室内側からの光が漏れることになる。
このことは、プライバシー保護上好ましくないことから、前記竪框１２、１３には遮光片１２２、１３２が形成されている。この遮光片１２２、１３２と前記スラット上部との干渉を避けるため、スラット２の中空部２１の寸法が、スラット２の回転中心（前記第２の伝達部材６の一端６０、スラットホルダ７の回転軸７０）から遮光片１２２、１３２までの距離に比べ、短くなるように形成した。
【００３５】
この場合に、スラット２の重心が前記板状部２２側に偏ると、スラット２の回転が重くなり、快適な操作性を害するおそれがある。
そこで、前記スラット２の中空部２１の内、前記回転中心から遮光片寄りの部分を肉厚、且つ、若干傾斜状に成型し、その重心が前記板状部２２側に偏らないようにしている。その結果、前記スラットホルダ７の回転軸７０の位置とスラット２の重心が略一致し、操作性が向上している。
【００３６】
前記消音部材２３は、例えば塩化ビニールからなるもので、各スラット２を閉じた際に、上下のスラットが当たるときに発生する音を消音すると共に、雨仕舞の機能も発揮する。
【００３７】
次に、前記第２の雨戸１Ｂの構成例を図１〜図３及び図１１に基づいて説明する。
第２雨戸1Ｂは、前記第１雨戸１Ａと、略同一に形成されており、前記第１の雨戸１Ａの竪框１３に設けられたヒンジ取付枠１３０に対応するヒンジ取付枠１３０が竪框１３に形成され、ピース状或いは長尺状のヒンジ１３０ａを介して前記第１雨戸１Ａとヒンジ結合されている。
他方の竪枠１２には、図１１（イ）に示した上下端１２Ｕ,１２Ｄに、同図（ロ）（ハ）に示したガイド突起兼用ストッパ１３ｂが取付けられ、このストッパ１３ｂのロッドが前記レール部１０２及びターンテーブル１０３のレール部１０３ｂに沿って移動できるようになっている。そして第１、第２雨戸１Ａ、１Ｂが押し開かれた場合（図２に示した位置）に、前記ストッパ１３ｂのロッドをさらに突出させることにより、前記ターンテーブル１０３の孔１０３ｃに出没し、雨戸の「バタツキ」を防いでいる。なお前記竪框１２には、重ね部１２３が形成されている。
【００３８】
次に、上記のように構成された雨戸の使用例を図１２（イ）〜（ハ）及び図１３（ａ）〜（ｄ）に基づいて説明する。図１３（イ）に示したように、折れ雨戸により建物の開口Ｋが閉じられている場合で、且つ、各スラット２Ａ、２Ｂも閉じている場合の使用例は次のとおりである。
【００３９】
前記スラット２が閉鎖状態にあるときは、前記操作スライダー１５は図１３（ａ）に示した右端の位置にある。この位置から前記操作スライダー１５を図面上、左方向にスライドさせると、そのスライド力は、ねじりバー３、回転軸３２、第１の伝達部材５、バー部材４、第２の伝達部材６、スラットホルダ７を介してスラット２に伝達され、各スラット２が前記操作スライダー１５のスライド幅に応じた角度で開放される。
【００４０】
図１４（ｃ）のように、前記操作スライダー１５を中間位置まで移動させると、前記スラット２が半開され、同図（ｄ）のように、さらに左端まで前記操作スライダー１５をスライドさせると、スラット２が全開となる。
【００４１】
各スラット２を閉じるときには、前記操作スライダー１５を右側にスライドさせればよい。
【００４２】
上述のように、上記各動作において、前記操作スライダー１５を左右にスライドさせることで、各スラット２の開閉を行うので、開閉操作が極めて容易である。
また、前記ねじりバー３のねじれ角を小さくすることにより、小さな力でスライドさせることができ、また、各スラット２を略９０度の範囲で、好きな角度で固定することができる。この場合、各スラット２の開閉角度を大きくしたいときには、より大きなねじれ角のねじりバーに交換すれば良い。
また、ねじりバー３にはねじれ角が存在するので、スラット２を動かしても、操作スライダー１５はスライドし難く、防犯性に優れている。
前記ねじりバー３は、その製造コストを安価に押さえることができる。また、ねじりバー３のねじれ方向を逆転させて（反時計回り）成形することにより、前記操作スライダー１５が図１３（ａ）及び（ｂ）に示した位置にあるときには、前記スラット２を開放状態にすることができる。
さらに、前記竪框１２，１３に遮光片１２２，１３２が形成されているので、この点からもプライバシーの保護に優れているし、図３等に示したように見込み方向の幅内に前記操作スライダー１５が納められ、コンパクト化が図られている。
【００４３】
建物の開口Ｋを開けたい場合には、前記ストッパ１３ａを解除し、第１雨戸１Ａ及び第２雨戸１Ｂ、第３雨戸１Ｃ及び第４雨戸１Ｄを屋外側に押出すようにすればよい（図１２（ロ））。建物開口Ｋの両側に余裕があれば、図１３（ハ）のように、押し広げることができる。
この場合前記第２、第３雨戸1Ｂ,１Ｃに設けたストッパ１３ａによりガタツキを防ぐことができる。さらに、図１２(ハ)に示した位置にホルダーＨを取付けてもよい。
【００４４】
前記実施形態に係る揺動機構の操作スライダー１５を室内側に臨ませるように取付けてもよい（図１４）。
前記実施形態においては、前記操作スライダー１５、前記ねじりバー３、前記回転軸３２及び前記第１の伝達部材５は、中框１４に取付けられているが、上框１０、下框１１に取付けてもよい。この場合には中框１４に代えてスラット２を配置してもよい。
また、前記回転軸３２の回転方向を直交させる部材を、その回転軸３２と第１の伝達部材５間に介在させることにより、前記操作スライダー１５、前記ねじりバー３及び前記回転軸３２を竪框側に配置することもできる。
また、前記実施形態においては、前記雨戸框内の略全面にスラットを配置していたが、雨戸框内の上部、中部或いは下部など、所定の領域に限定し、これらのスラットを揺動させる揺動機構を設けてもよい。
【００４５】
前記折れ雨戸はテラスタイプのものであったが、図１５に示したように窓用タイプのものでもよい。
また、図１６に示したように、第１と第２雨戸１Ａ、１Ｂの１組と第４の雨戸1Ｄで折れ雨戸にしてもよい。
さらに、図１７に示したように、第１と第２雨戸１Ａ´、１Ｂ´のように１組でもよい。
その他の構成は、上記実施形態と略同様であるので、同一の作用効果を奏す
【００４６】
【発明の効果】
請求項１に記載の発明によれば、建物の開口を遮断することができるので、プライバシー保護を徹底化することができ、且つ、防風、防雨、防音、防犯性に優れている。また、スラットの揺動角度を調整することにより太陽光線を弾いて断熱を図り、同時に採光及び通風を図ることができる。さらに、スライド力を付与する装置（例えば後述の操作スライダー）を左右にスライドさせるというスライド運動によって動作するので、スラットの揺動操作の容易性が向上し、スラットの開閉操作の快適性を図ることができる。
【００４７】
請求項２に記載の発明によれば、建物の開口の大きさ、位置に対応させて、操作し易い揺動機構を組込むことができる。
【００４８】
請求項３に記載の発明によれば、新設の建物に設置できるし、既設の建物の開口に取付ける場合には、固定枠を介して取付けることもできる。
【図面の簡単な説明】
【図１】  第１実施形態に係る折れ雨戸の室外側正面図、
【図２】  同雨戸の横断面図、
【図３】  同雨戸の縦断面図、
【図４】  （イ）〜（ハ）同雨戸のターンテーブル配置図、
【図５】  （イ）〜（ホ）同雨戸の回転軸、ストッパ配置図、
【図６】  同雨戸の揺動機構の要部断面図、
【図７】  同揺動機構の分解斜視図、
【図８】  同揺動機構のスライダー本体の分解斜視図、
【図９】  同スライダー本体の説明図、
【図１０】  同揺動機構のねじりバーの正面図、
【図１１】  （イ）〜（ハ）同雨戸のガイド突起兼用ストッパ配置図、
【図１２】  （イ）〜（ハ）同雨戸の動作例図、
【図１３】  （ａ）〜（ｄ）スラット開閉状態説明図、
【図１４】  別例の揺動機構の要部斜視図、
【図１５】  第２実施形態に係る折れ雨戸の室外側正面図、
【図１６】  第３実施形態に係る折れ雨戸の室外側正面図、
【図１７】  第４実施形態に係る折れ雨戸の室外側正面図。
【符号の説明】
１  固定枠                                    １Ａ〜１Ｄ  雨戸
１０，１１  上下框                            １２，１３  竪框
１２ａ  回転軸                                １３ａ  １３ｂ  ストッパ
１００  枠本体                                １０１  室外側横枠
１０２  １０３ｂ  レール部                    １０３  ターンテーブル
１０３ａ  軸受
１３０  ヒンジ取付枠                          １３０ａ  ヒンジ
１３１  中空部                                １２２  １３２  遮光片
１４  中框                                    １４Ａ  １４Ｂ  上下中框
１４１  スライド枠
１５  操作スライダー
１５０  摘み片                                １５１  スライダー本体
１５１ａ  本体部                              １５１ｂ  蓋体部
１５１ｃ  カシメ部                            １５１ｄ  孔
１５１ｅ                                      １５１ｆ  ボール
１５２  孔
２Ａ  ２Ｂ  スラット
２０  取付部                                  ２１  中空部
２２  板状部                                  ２３  消音部材
３  ねじりバー
３０  一端                                    ３１  他端
３２  回転軸                                  ３３  軸受
３２０  固定円柱部                            ３２１  回転部
３２２  ４角孔                                ３２３  段差
４  バー部材
４０  ４１  孔
５  第１の伝達部材                            ６  第２の伝達部材
５０  第１の伝達部材の一端                    ５１  他端
６０  第２の伝達部材の一端                    ６１  他端
７  ７Ａ  スラットホルダ                      ７０  回転軸
７１  鍔部                                    ７２  楔部
【図１】
0004095284.tif 000002
【図２】
0004095284.tif 000003
【図３】
0004095284.tif 000004
【図４】
0004095284.tif 000005
【図５】
0004095284.tif 000006
【図６】
0004095284.tif 000007
【図７】
0004095284.tif 000008
【図８】
0004095284.tif 000009
【図９】
0004095284.tif 000010
【図１０】
0004095284.tif 000011
【図１１】
0004095284.tif 000012
【図１２】
0004095284.tif 000013
【図１３】
0004095284.tif 000014
【図１４】
0004095284.tif 000015
【図１５】
0004095284.tif 000016
【図１６】
0004095284.tif 000017
【図１７】
0004095284.tif 000018